(57)【要約】【課題】二次電池を備えているにもかかわらず小型、軽量の酸素富化機を提供する。【解決手段】二次電池１１と酸素富化空気を生成する酸素富化手段２を内蔵した酸素富化機本体１と、前記酸素富化機本体１を支持しかつ前記二次電池１１を充電する充電台２０からなり、前記酸素富化機本体１を前記充電台２０で支持された状態で運転する場合には、前記充電台２０から電力を得て運転し、前記酸素富化機本体１を前記充電台２０から外して運転する場合には、前記二次電池１１から電力を得て運転するようにしたもので、充電機能を酸素富化機本体１と分離された充電台２０に設けることにより、電力源の切り替えに対する使用性を悪化させることなく、二次電池１１で運転する際の酸素富化機本体１を小型軽量化することができる。【選択図】図１
2007037673.tif 000002
【特許請求の範囲】
【請求項１】
二次電池と酸素富化空気を生成する酸素富化手段を内蔵した酸素富化機本体と、前記酸素富化機本体を支持しかつ前記二次電池を充電する充電台からなり、前記酸素富化機本体を前記充電台で支持された状態で運転する場合には、前記充電台から電力を得て運転し、前記酸素富化機本体を前記充電台から外して運転する場合には、前記二次電池から電力を得て運転するようにした酸素富化機。
【請求項２】
酸素富化機本体が充電台に支持されている時に、前記充電台より、二次電池の充電を行うための電力と前記酸素富化機本体を運転させるための電力の両方を同時に供給するようにした請求項１に記載の酸素富化機。
【請求項３】
二次電池を内蔵した酸素富化機本体と、前記酸素富化機本体に接続されかつ前記二次電池を充電する充電台からなり、前記酸素富化機本体は、酸素富化空気を生成する酸素富化手段と、前記酸素富化空気を外部に吐出する本体吐出口とを備え、前記充電台に前記酸素富化機本体を接続して運転する場合に、前記本体吐出口から前記酸素富化空気を使用者へ供給するまでの経路の一部を前記充電台の内部を通るように構成すると共に、前記充電台内の前記経路の途中に、前記経路内で発生する結露水を溜める結露水タンクを設けた酸素富化機。
【請求項４】
充電台内で結露した水分の蒸発を促進する蒸発促進手段を備えた請求項３に記載の酸素富化機。
【請求項５】
二次電池を内蔵した酸素富化機本体と、前記酸素富化機本体に接続されかつ前記二次電池を充電する充電台からなり、前記酸素富化機本体は、酸素富化空気を生成する酸素富化手段と、前記酸素富化手段を通して空気を吸引する吸引手段とを備え、前記充電台に前記酸素富化機本体を接続して運転する場合、前記空気を前記充電台内部を通過させた後前記酸素富化手段を通して前記吸引手段で吸引するようにした酸素富化機。
【請求項６】
酸素富化機本体を二次電池を電力源として運転する場合の運転時間の設定と、充電台から電力を受けて運転する場合の運転時間の設定が切り替えられるようにした請求項１〜５のいずれか１項に記載の酸素富化機。
【請求項７】
二次電池と酸素富化空気を生成する酸素富化手段を内蔵した酸素富化機本体と、前記酸素富化機本体に接続され前記二次電池を充電する充電台からなり、前記充電台に、前記二次電池を充電する際の電力源となる太陽電池を備えた酸素富化機。
【請求項８】
二次電池を着脱自在に収納する収納部と酸素富化空気を生成する酸素富化手段を備えた酸素富化機本体と、前記酸素富化機本体を商用電源で運転する際の電力源となると共に、前記収納部に装着されるＡＣ−ＤＣアダプタユニットを備えた酸素富化機。
【発明の詳細な説明】
【技術分野】
【０００１】
本発明は、酸素富化手段を用いて得られる酸素濃度の高い空気、いわゆる酸素富化空気を使用者に提供する酸素富化機に関するもので、特に二次電池を使用する酸素富化機に関するものである。
【背景技術】
【０００２】
従来の酸素富化機としては、酸素の透過速度が窒素の透過速度より早い酸素富化膜と、酸素富化膜を通して大気を吸引する吸引ポンプと、前記酸素富化膜通過後の酸素富化空気を外部に放出する吐出口とを具備し、室内または使用者の口元に酸素富化空気を供給するようにしているものが一般的であった（例えば、特許文献１参照）。また、酸素富化機を屋外でも使用できるように、二次電池を電力源とした酸素富化機も最近提案されている。
【特許文献１】特開２００４−１３６２３２号公報
【発明の開示】
【発明が解決しようとする課題】
【０００３】
しかしながら、前記従来の二次電池を用いた酸素富化機では、商用電源での使用と、二次電池での使用を容易に切り替えられるように、本体内部に二次電池を充電する機能を備えているので、本体の構成が複雑化、大型化するといった課題を有していた。また、本体に内蔵できるサイズであることから、商用電源に接続していても酸素富化運転と二次電池への充電を同時に行うことはできなかった。つまり二次電池を電源として使用し、その二次電池が消耗した後、本体を商用電源に接続しても、本体運転中は充電できず、二次電池を充電するためには本体の運転を一旦停止する必要があり、使い勝手が非常に悪いという課題があった。
【０００４】
本発明は、これら従来の課題を解決するもので、酸素富化機本体の小型軽量化を図るとともに使い勝手を向上した酸素富化機を提供することを目的とする。
【課題を解決するための手段】
【０００５】
前記従来の課題を解決するために、本発明の酸素富化機は、二次電池と酸素富化空気を生成する酸素富化手段を内蔵した酸素富化機本体と、前記酸素富化機本体を支持しかつ前記二次電池を充電する充電台からなり、前記酸素富化機本体を前記充電台で支持された状態で運転する場合には、前記充電台から電力を得て運転し、前記酸素富化機本体を前記充電台から外して運転する場合には、前記二次電池から電力を得て運転するようにしたもので、充電機能を酸素富化機本体と分離された充電台に設けることにより、電力源の切り替えに対する使用性を悪化させることなく、二次電池で運転する際の酸素富化機本体を小型軽量化することができる。
【０００６】
また、本発明の酸素富化機は、二次電池を内蔵した酸素富化機本体と、前記酸素富化機本体に接続されかつ前記二次電池を充電する充電台からなり、前記酸素富化機本体は、酸素富化空気を生成する酸素富化手段と、前記酸素富化空気を外部に吐出する本体吐出口とを備え、前記充電台に前記酸素富化機本体を接続して運転する場合に、前記本体吐出口から前記酸素富化空気を使用者へ供給するまでの経路の一部を前記充電台の内部を通るように構成すると共に、前記充電台内の前記経路の途中に、前記経路内で発生する結露水を溜める結露水タンクを設けたもので、充電機能を酸素富化機本体と分離された充電台に設けることにより、電力源の切り替えに対する使用性を悪化させることなく、二次電池で運転する際の酸素富化機本体を小型軽量化することができると共に、経路内で発生する結露水が結露水タンクに溜まるので、使用者に酸素富化空気と共に結露水が送られることがなく、快適に使用でき、しかも結露水タンクが充電台側に設けられているので、結露水タンクを特に小型化する必要がなくなり、それにより使用者による結露水処理を省力化できる使い勝手のよい酸素富化機を提供することができる。
【０００７】
また、本発明の酸素富化機は、二次電池を内蔵した酸素富化機本体と、前記酸素富化機本体に接続されかつ前記二次電池を充電する充電台からなり、前記酸素富化機本体は、酸素富化空気を生成する酸素富化手段と、前記酸素富化手段を通して空気を吸引する吸引手段とを備え、前記充電台に前記酸素富化機本体を接続して運転する場合、前記空気を前記充電台内部を通過させた後前記酸素富化手段を通して前記吸引手段で吸引するようにしたもので、酸素富化機本体に二次電池充電用の回路が不要なので、酸素富化機本体の小型、軽量が図られ、しかも、空気が酸素富化手段に至る前に、二次電池の充電回路などから発する熱で暖められ、乾燥されるので、酸素富化手段を通過して得られた酸素富化空気は湿度が低く、結露しにくくなり、結露水を溜める結露水タンクも不要になり、使い勝手のよい酸素富化機を提供することができる。
【０００８】
また、本発明の酸素富化機は、二次電池と酸素富化空気を生成する酸素富化手段を内蔵した酸素富化機本体と、前記酸素富化機本体に接続され前記二次電池を充電する充電台からなり、前記充電台に、前記二次電池を充電する際の電力源となる太陽電池を備えたもので、酸素富化機本体に二次電池充電用の回路が不要なので、酸素富化機本体の小型、軽量が図られ、しかも、商用電源を得られない場所でも、太陽電池を電力源として二次電池の充電ができるので、より使い勝手のよい酸素富化機を提供することができる。
【０００９】
また、本発明の酸素富化機は、二次電池を着脱自在に収納する収納部と酸素富化空気を生成する酸素富化手段を備えた酸素富化機本体と、前記酸素富化機本体を商用電源で運転する際の電力源となると共に、前記収納部に装着されるＡＣ−ＤＣアダプタユニットを備えたもので、酸素富化機本体に二次電池充電用の回路や、商用電源利用時の直流電源回路などを設ける必要が無く、しかも、商用電源を電力源として運転する場合に、二次電池を取り外した収納部に、ＡＣ−ＤＣアダプタを収納することで、酸素富化機本体を、より小型化して使い勝手のよい酸素富化機を提供することができる。
【発明の効果】
【００１０】
本発明の酸素富化機は、充電機能を本体外部に設けることで、電力源の切り替えに対する使用性を悪化させることなく電池で運転する際の本体を小型軽量化できる酸素富化機を提供することができる。
【発明を実施するための最良の形態】
【００１１】
第１の発明は、二次電池と酸素富化空気を生成する酸素富化手段を内蔵した酸素富化機本体と、前記酸素富化機本体を支持しかつ前記二次電池を充電する充電台からなり、前記酸素富化機本体を前記充電台で支持された状態で運転する場合には、前記充電台から電力を得て運転し、前記酸素富化機本体を前記充電台から外して運転する場合には、前記二次電池から電力を得て運転するようにしたもので、充電機能を酸素富化機本体と分離された充電台に設けることにより、電力源の切り替えに対する使用性を悪化させることなく、二次電池で運転する際の酸素富化機本体を小型軽量化することができる。
【００１２】
第２の発明は、特に、第１の発明の酸素富化機本体が充電台に支持されている時に、前記充電台より、二次電池の充電を行うための電力と前記酸素富化機本体を運転させるための電力の両方を同時に供給するようにしたもので、酸素富化機本体を商用電源を電力源として運転しながら、二次電池の充電も同時に行うことができるので、充電完了後、そのまま二次電池を電力源として連続使用できる使い勝手のよい酸素富化機を提供することができる。
【００１３】
第３の発明は、二次電池を内蔵した酸素富化機本体と、前記酸素富化機本体に接続されかつ前記二次電池を充電する充電台からなり、前記酸素富化機本体は、酸素富化空気を生成する酸素富化手段と、前記酸素富化空気を外部に吐出する本体吐出口とを備え、前記充電台に前記酸素富化機本体を接続して運転する場合に、前記本体吐出口から前記酸素富化空気を使用者へ供給するまでの経路の一部を前記充電台の内部を通るように構成すると共に、前記充電台内の前記経路の途中に、前記経路内で発生する結露水を溜める結露水タンクを設けたもので、充電機能を酸素富化機本体と分離された充電台に設けることにより、電力源の切り替えに対する使用性を悪化させることなく、二次電池で運転する際の酸素富化機本体を小型軽量化することができると共に、経路内で発生する結露水が結露水タンクに溜まるので、使用者に酸素富化空気と共に結露水が送られることがなく、快適に使用でき、しかも結露水タンクが充電台側に設けられているので、結露水タンクを特に小型化する必要がなくなり、それにより使用者による結露水処理を省力化できる使い勝手のよい酸素富化機を提供することができる。
【００１４】
第４の発明は、特に、第３の発明の充電台内で結露した水分の蒸発を促進する蒸発促進手段を備えたもので、蒸発促進手段により、結露水タンクに溜まる結露水の量が減るので、結露水タンクを空にする作業回数が減り、さらに使い勝手のよい酸素富化機を提供することができる。
【００１５】
第５の発明は、二次電池を内蔵した酸素富化機本体と、前記酸素富化機本体に接続されかつ前記二次電池を充電する充電台からなり、前記酸素富化機本体は、酸素富化空気を生成する酸素富化手段と、前記酸素富化手段を通して空気を吸引する吸引手段とを備え、前記充電台に前記酸素富化機本体を接続して運転する場合、前記空気を前記充電台内部を通過させた後前記酸素富化手段を通して前記吸引手段で吸引するようにしたもので、酸素富化機本体に二次電池充電用の回路が不要なので、酸素富化機本体の小型、軽量が図られ、しかも、空気が酸素富化手段に至る前に、二次電池の充電回路などから発する熱で暖められ、乾燥されるので、酸素富化手段を通過して得られた酸素富化空気は湿度が低く、結露しにくくなり、結露水を溜める結露水タンクも不要になり、使い勝手のよい酸素富化機を提供することができる。
【００１６】
第６の発明は、特に、第１〜５のいずれか一つの発明の酸素富化機本体を二次電池を電力源として運転する場合の運転時間の設定と、充電台から電力を受けて運転する場合の運転時間の設定が切り替えられるようにしたもので、例えば、酸素富化機本体を充電台に接続して使用するときには、二次電池を電源とする場合より長時間の運転設定ができるようにすることで、より使い勝手のよい酸素富化機を提供することができる。
【００１７】
第７の発明は、二次電池と酸素富化空気を生成する酸素富化手段を内蔵した酸素富化機本体と、前記酸素富化機本体に接続され前記二次電池を充電する充電台からなり、前記充電台に、前記二次電池を充電する際の電力源となる太陽電池を備えたもので、酸素富化機本体に二次電池充電用の回路が不要なので、酸素富化機本体の小型、軽量が図られ、しかも、商用電源を得られない場所でも、太陽電池を電力源として二次電池の充電ができるので、より使い勝手のよい酸素富化機を提供することができる。
【００１８】
第８の発明は、二次電池を着脱自在に収納する収納部と酸素富化空気を生成する酸素富化手段を備えた酸素富化機本体と、前記酸素富化機本体を商用電源で運転する際の電力源となると共に、前記収納部に装着されるＡＣ−ＤＣアダプタユニットを備えたもので、酸素富化機本体に二次電池充電用の回路や、商用電源利用時の直流電源回路などを設ける必要が無く、しかも、商用電源を電力源として運転する場合に、二次電池を取り外した収納部に、ＡＣ−ＤＣアダプタを収納することで、酸素富化機本体を、より小型化して使い勝手のよい酸素富化機を提供することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における酸素富化機の全体構成を示すシステムブロック図、図２は、同酸素富化機の外観斜視図、図３は、同酸素富化機の充電台の外観斜視図、図４は、同酸素富化機を用いて使用者が酸素富化空気を吸引する様子を示す図である。
【００２１】
図１〜図３において、本実施の形態における酸素富化機は、酸素富化機本体１（以下、本体１と称す）と、本体１に内蔵された二次電池１１を充電する際に、本体１が載置される充電台２０から構成されている。
【００２２】
本体１は、本体１内に吸引された空気の酸素の濃度を高め、いわゆる酸素富化空気を生成する酸素富化膜ユニット（図示せず）から構成された酸素富化手段２を内設している。前記酸素富化膜ユニットは、さらに有機高分子の平膜（図示せず）から構成され、空気が前記酸素富化膜ユニットを通過することで、空気の酸素濃度は、通過前の通常の約２１％（窒素約７９％）から、約３０％（窒素約７０％）まで高められる。また、本体１の内部に設けられた吸引送風手段５は、高圧力タイプのポンプ（図示せず）から構成され吸引手段となるもので、本体１の側面に設けた本体吸入口３から前記本体１内の酸素富化手段２を通して外気を吸引し、酸素富化手段２を通じて生成された酸素富化空気を、本体１に設けた本体吐出口６に送り、本体吐出口６から外部に吐出するようにしている。
【００２３】
また、本体１の天面には、使用者が本体１の運転を指示する操作手段４が設けてあり、操作手段４からの信号を受けたマイクロコンピュータなどから構成された制御手段８によって、吸引送風手段５が制御される。本体１を単独で運転する場合の電力源は、制御手段８と共に本体１内に収納されている二次電池１１で、その二次電池１１の充電を行うための本体充電端子１２と、後述の充電台２０との電気的な接続部分として、充電台２０から運転に必要な電力を受け取るための本体運転端子１３が、本体１側に設けられている。
【００２４】
さらに本体１内部には、電源切替手段７があり、本体１を単独で運転動作させる際には、二次電池１１から電力を供給し、本体１が充電台２０に載置された時には、本体運転端子１３から電力を得るように切替を行う。また、酸素富化手段２の酸素富化膜（図示せず）を通過しない空気、すなわち酸素が減り窒素濃度の高い窒素富化空気は、送風手段９により本体１の側面に設けられた排気口１０から外部へ排出されるようになっている。
【００２５】
次に充電台２０について説明する。
【００２６】
充電台２０には、電源コード３３を介して外部の商用電源に接続される電源回路２１が内設され、本体１内の二次電池１１の充電及び、本体１内の送風手段９や、吸引送風手段５などの運転のための電力を供給する。本体１との接続部として、本体１内の二次電池１１を充電するための本体充電端子１２に接続される充電台充電端子２２と運転電力を供給する本体運転端子１３に接続される充電台運転端子２３が設けられている。
【００２７】
充電制御部２４は、充電台充電端子２２に、本体充電端子１２を介して二次電池１１が接続されたと判断したら充電制御を行うものである。また、充電台２０には、外気と連通する充電台吸入口２５と、充電台吸入口２５と本体吸入口３とを機構的に連通接続するための充電台吸気接続部２６が設けられ、本体１が充電台２０に載置接続され、本体１の運転が行われると、室内の空気が充電台吸入口２５から吸入され、充電台吸気接続部２６を介して本体吸気口３へ入り、酸素富化手段２へと送られるようになっている。
【００２８】
充電台２０には、さらに、充電台吐出口２７と、本体吐出口６にチューブ３４などを介して機構的に接続される充電台吐出接続部２８と、充電台吐出接続部２８に連通する結露処理手段２９と、結露水を溜める結露水タンク３０が設けられており、本体１で生成された酸素富化空気は、本体吐出口６から充電台吐出接続部２８を介して充電台２０に入り、結露処理手段２９に送られる。ここで、湿度の高い酸素富化空気は結露され、適度な湿度になった後、充電台吐出口２７から後述のヘッドセット４０を経て外部に吐出させる。結露処理手段２９で生成された結露水は、結露水タンク３０へ溜められる。
【００２９】
図４は、使用者が酸素富化空気を吸引する際の様子を示すもので、４０は、使用者の頭などにセットするヘッドセットで、下流側端部に設けられ使用者の鼻先に酸素富化空気を吐出する吐出部１７と、一方がその吐出部１７に連通すると共に他端が、本体１の本体吐出口６又は、充電台２０の充電台吐出口２７に接続される接続チューブ１６とを備えている。
【００３０】
使用者は、本体１が充電台２０に載置されて運転されているときは、充電台吐出口２７に接続した接続チューブ１６を介して、酸素富化空気を吸い込むが、本体１を単独で運転する場合には、接続チューブ１６を、本体吐出口６に接続して使用するものである。
【００３１】
以下、上記構成による酸素富化機の動作と作用について説明する。
【００３２】
まず、本体１の単独運転の場合、使用者が吐出部１７を支持するヘッドセットを図４のように装着し、接続チューブ１６を本体吐出口６に接続して、操作手段４で運転を指示すると、電源切替手段７は、本体運転端子１３に電力が供給されていないことを端子電圧等で判断し、二次電池１１から電力を供給するようにする。その電力で制御手段８は、吸引送風手段５の駆動を開始する。すると本体吸入口３から外気が吸い込まれ、酸素富化手段２で酸素富化空気が生成され、本体吐出口６へ送られ、接続チューブ１６を介して、吐出部１７から使用者へ送られる。同時に、制御手段８は、送風手段９を駆動し、酸素富化手段２を通過しない空気を排気口１０より本体１外へ排出する。
【００３３】
次に、本体１を充電台２０にセットした状態での運転の場合、本体吐出口６と充電台吐出接続部２８とをチューブ３４で連結し、チューブ１６を充電台吐出口２７へ接続して、操作手段４で運転を指示すると、電源切替手段７は本体運転端子１３に電力が供給されていることを端子電圧等で判断し、二次電池１１との接続を切り離し、充電台２０から電力を得るようにする。
【００３４】
その電力で制御手段８は、吸引送風手段５の駆動を開始する。すると充電台吸入口２５から外気が吸い込まれ、充電台吸気接続部２６を介して本体吸入口３から本体１内へ送られる。そして酸素富化手段２で酸素富化空気が生成され、本体吐出口６から充電台吐出接続部２８を介して充電台２０内へ入り、結露処理手段２９へ送られる。結露処理手段２９は、吸引送風手段５で高くなった酸素富化空気の温度と圧力を下げ、結露させて適度な湿度にさげる。生成された結露水は結露水タンク３０へ溜められ、折をみて排水する。また、適度な湿度になった酸素富化空気は、充電台吐出口２７から接続チューブ１６を介して、吐出部１７から使用者へ送られる。結露水タンク３０が満水状態になったら運転を停止させ、使用者にその旨を報知することも可能である。
【００３５】
また、充電台２０内の充電制御部２４は、充電台充電端子２２に本体１内の二次電池１１が接続されたことを端子電圧などから判断し、本体１が運転するしないに関わらず、充電制御を行う。これにより、本体１を商用電源（充電台２０側からの電力供給）で運転している間にも充電を行うことができ、連続的に使用したい場合にも使い勝手をよくすることができる。
【００３６】
また、上記したように、充電制御を行う充電台充電端子２２と運転するための電力供給を行う充電台運転端子２３とを別にすることで、充電制御に必要な精度の高い電圧判断を行うことができるが、二次電池１１近傍に温度検知手段（図示せず）を配置し、温度情報を充電台充電端子２２を通じて充電制御部２４に取込み、充電制御を行ってもよい。
【００３７】
また、図５に示すように、結露処理手段２９で結露した水分を結露水タンク３０に溜めておくだけでなく、結露水の蒸発を促進する蒸発促進手段３１を設けて、排水する手間を省くことでより使い勝手を向上させることもできる。なお、蒸発促進するための手段は特に制限されるものではなく、ヒータ（図示せず）で結露水を加熱したり、結露水に送風手段（図示せず）で風を送るなどして蒸発を促進させると良い。
【００３８】
また、図６に示すように、結露処理を酸素富化空気の吐出経路に設けるのではなく、乾燥処理手段３２を設けて、外気を吸入した直後に乾燥させた上で、本体１に送り込む構成をとることで、同様の効果を得ることもできる。
【００３９】
さらに、本体１単独で、すなわち二次電池１１で運転を行う場合は、電池の容量や結露水の生成などから運転時間として適度な所定時間が設定されるが、充電台２０に接続されている場合には、これらの条件が該当しないため、操作手段４による運転時間を切り替えるようにし、本体１を充電台２０に接続している状態では、長時間の運転設定ができるようにすることで、より使い勝手を向上させることもできる。
【００４０】
（実施の形態２）
図７は、本発明の第２の実施の形態における酸素富化機の構成を示すシステムブロック図である。なお、上記第１の実施の形態における酸素富化機と同一部分については同一符号を付して、その説明を省略する。
【００４１】
本実施の形態は、図７に示すように、充電台２０に、太陽電池３５と、太陽電池３５から充電制御部２４へ電力供給する太陽電池電力手段３６を備え、商用電源のない場所であっても、充電制御部２４で本体１内の二次電池１１の充電ができるようにしたものである。太陽電池３５を収めた充電台２０は、やや大きめの形状となったとしても、本体１の使用時には、本体１から切り離して使用することがきるので、使い勝手がよい酸素富化機を提供することができる。
【００４２】
（実施の形態３）
図８は、本発明の第３の実施の形態における酸素富化機の構成を示すシステムブロック図、図９は、同酸素富化機の外観斜視図である。なお、上記実施の形態における酸素富化機と同一部分については同一符号を付して、その説明を省略する。
【００４３】
本実施の形態は、図８、９に示すように、本体１に二次電池１１が着脱自在に収納される収納部３８を設け、商用電源から電力を受けて本体１を運転するときに、収納部３８から二次電池１１を取り外し、そこにＡＣ−ＤＣアダプタユニット３７を代わりに収納するようにしたものである。
【００４４】
本実施の形態によれば、本体１のサイズを最小限にした上で、商用電源と電池電源を両用でき、また取り外した二次電池１１を、別ユニットからなる充電器（図示せず）で充電するようにすれば、より効率的な運用が可能な酸素富化機を提供することができる。また、二次電池１１を収納する収納部３８を工夫することで、乾電池などの一次電池を用いた運転も可能となり、より利便性を向上することも容易にできる。
【産業上の利用可能性】
【００４５】
本発明にかかる酸素富化機は、充電機能を本体外部に設けることで、電力源の切り替えに対する使用性を悪化させることなく電池で運転する際の本体を小型軽量化できるもので、電池を電力源として使用する酸素富化機に特に有用である。
【図面の簡単な説明】
【００４６】
【図１】本発明の実施の形態１における酸素富化機の全体構成を示すシステムブロック図
【図２】同酸素富化機の外観斜視図
【図３】同酸素富化機の充電台の外観斜視図
【図４】同酸素富化機を用いて使用者が酸素富化空気を吸引する様子を示す図
【図５】他の例を示す酸素富化機のシステムブロック図
【図６】他の例を示す酸素富化機のシステムブロック図
【図７】本発明の実施の形態２における酸素富化機のシステムブロック図
【図８】本発明の実施の形態３における酸素富化機のシステムブロック図
【図９】同酸素富化機の外観斜視図
【符号の説明】
【００４７】
１    酸素富化機本体（本体）
２    酸素富化手段
５    吸引送風手段（吸引手段）
７    電源切替手段
８    制御手段
９    送風手段
１１  二次電池
１７  吐出部
２０  充電台
２２  充電台充電端子
２３  充電台運転端子
２４  充電制御部
２９  結露処理手段
３０  結露水タンク
３１  蒸発促進手段
３２  乾燥処理手段
３５  太陽電池
３７  ＡＣ−ＤＣアダプタユニット
【図１】
2007037673.tif 000003
【図２】
2007037673.tif 000004
【図３】
2007037673.tif 000005
【図４】
2007037673.tif 000006
【図５】
2007037673.tif 000007
【図６】
2007037673.tif 000008
【図７】
2007037673.tif 000009
【図８】
2007037673.tif 000010
【図９】
2007037673.tif 000011